(57)【要約】【課題】  簡易な構造で汎用性を高められるとともに、適切に反転可能であるすべり出し反転窓を提供する。【解決手段】  上端部が回動しつつ鉛直方向に移動可能な障子２０と、枠体と障子とを障子の室内外側の配置が反転可能に連結する障子回動保持機構４０とを備えるすべり出し反転窓であって、障子回動保持機構４０が一端を枠体に回動可能に具備された第１アーム４１と、一端が回動しつつ鉛直に移動可能とされて枠体に具備された第２アーム４２と、一端を障子の側面に回動可能に具備された第３アーム４３とを備え、第１アームの他端と第２アームとが回動可能に連結され、第２アームの他端と第３アームの他端とが回動可能に連結され、障子の上端部が鉛直方向に移動し、障子が第３アームと障子との連結部位を中心に回動し障子の室内外が反転可能とされる。【選択図】      図２
2007032200.tif 000002
【特許請求の範囲】
【請求項１】
建物開口部の四辺に沿って取り付けられた枠体と、当該枠体の内側に配置され、上端部が回動しつつ鉛直方向に移動可能とされた障子と、前記枠体と前記障子とを当該障子の室内外側の配置が反転可能となるように連結する障子回動保持機構と、を備えるすべり出し反転窓であって、
前記障子回動保持機構が、
一端側を前記枠体に回動可能に取り付けられた第１アームと、
一端側が回動しつつ鉛直方向に移動可能とされて前記枠体に取り付けられた第２アームと、
一端側を前記障子の側面に回動可能に取り付けられた第３アームと、を備え、
前記第１アームの他端側と前記第２アームとが回動可能に連結されるとともに前記第２アームの他端側と前記第３アームの他端側とが回動可能に連結されることにより、
前記障子の上端部が鉛直方向に移動するとともに前記障子が当該障子と前記第３アームとの連結部位を中心に回動し、前記障子の室内外側の配置が反転可能とされることを特徴とするすべり出し反転窓。
【請求項２】
前記障子回動保持機構が、前記障子の左右両側面のそれぞれに備えられることを特徴とする請求項１に記載のすべり出し反転窓。
【請求項３】
前記第２アームの前記枠体と回動しつつ鉛直方向に移動可能に取り付けられた部位が、前記障子のすべり出し反転動作中で最も高い位置に達したときに、
前記第２アームと前記枠体との上方に開いた側の成す角が、５５度以下であることを特徴とする請求項１又は２のいずれか一項に記載のすべり出し反転窓。
【発明の詳細な説明】
【技術分野】
【０００１】
本発明は、住宅、公共施設やオフィスビル等の建物の開口部に使用されるすべり出し反転窓に関し、詳しくは障子の室内側面と室外側面とを反転させるための機構を備えたすべり出し反転窓に関する。
【背景技術】
【０００２】
近年、住宅、公共施設やオフィスビル等の建物には、デザインや実用性の面から多くの開口部が設けられ、当該開口部のほとんどに窓や扉等の開口部装置が備えられている。このような開口部装置の中で窓は、採光や換気等の実用的な観点及びデザイン等の意匠的な観点から様々な大きさ、形状、形態が採用されている。
【０００３】
一方、窓はそのほとんどが透明であることから、汚れた場合に室内側からも室外側からもその汚れが目立ち、また採光の観点からも常に汚れ等が付着していないことが望ましい。ところが一般的に、特に大きな窓の場合には室内側は比較的容易に清掃することができるものの、室外側を清掃することは困難である。
【０００４】
多種多様な窓の中で、すべり出し窓といわれる形式の窓があり、さらにすべり出し形式でかつ、障子の室内側面と室外側面が反転可能とされているすべり出し反転窓という窓がある。このすべり出し反転窓は、障子の上又は下のうち一方の框が水平を維持したまま開口部に沿って鉛直方向に移動可能とされ、他方が室外側で円弧状に移動することにより、上下の框の上下位置が反転してその結果、障子の室内側面と室外側面とが反転するというものである。これによれば、障子の室外側面を反転させ室内側に配置することができ、室外側の障子を清掃することが非常に容易となる。
【０００５】
従来において、以上のようなすべり出し反転窓の障子の回動を可能とするとともに保持することのできる機構が特許文献１及び特許文献２に開示されている。特許文献１に記載のすべり出し反転窓では、４本のアームを組み合わせてリンク機構を構成し、当該リンク機構により、開口部に取り付けられた枠体と、障子の縦框の略中央とを連結して障子のすべり出し反転を可能としている。特許文献２の回転窓用の装置では、２本のアームがＴ字状に回動可能に組み合わされ、当該Ｔ字状の３つの端部がそれぞれ、フレームの上部、フレームの下部及び障子の縦框の略中央に取り付けられる機構を備えている。このとき各端部は回動可能に取り付けられ、フレーム下部に取り付けられた端部はフレームに沿って鉛直方向上下に移動可能とされている。
【特許文献１】特開平１１−３００７０号公報
【特許文献２】特表２００１−５１９４９３号公報
【発明の開示】
【発明が解決しようとする課題】
【０００６】
しかし、特許文献１に記載のすべり出し反転窓に備えられたリンク機構は、４本のアームにより構成されているので構造が複雑となり、高価になってしまうという問題があった。また、４本のアームが比較的短く、機構が鉛直方向の中央にまとまった形態で取り付けられているので、特に枠体に取り付けられた上下２本のアームは障子が水平の姿勢まで回動されたとき、当該２本のアームも水平に近い姿勢となる。これにより、この２本のアームには比較的大きなモーメントが負荷されるので、アームの強度を高めておく必要があり、これによってもすべり出し窓のコストが増加してしまうという問題もあった。
【０００７】
特許文献２に記載の回転窓用の装置に備えられたリンク機構は、その構造上、下側のアームは、障子の高さの半分以上の長さが必要である。しかし一方で、あまり下側のアームを長くすると枠体に納まりきれないので、このリンク機構においては、障子の高さと下側に配置されたアームとの長さとの関係で、障子の高さによってアームの長さ等を都度設計しなければならないという問題があった。このことは、回転窓用の装置提供に関して汎用性に問題を生じ、コストの増大を招く虞があった。
【０００８】
そこで、本発明は簡易な構造で汎用性を高められるとともに、適切に反転可能であるすべり出し反転窓を提供することを課題とする。
【課題を解決するための手段】
【０００９】
発明者は、鋭意検討した結果、簡易的な構造を有するとともに、１種類のアーム組み合わせ構造で、数種の障子高さに適用可能な機構を有するすべり出し反転窓を開発した。以下、本発明について説明する。なお、本発明の理解を容易にするために添付図面の参照符号を括弧書きにて付記するが、それにより本発明が図示の形態に限定されるものではない。
【００１０】
請求項１の発明は、建物開口部の四辺に沿って取り付けられた枠体（１０）と、当該枠体の内側に配置され、上端部が回動しつつ鉛直方向に移動可能とされた障子（２０）と、枠体と障子とを当該障子の室内外側の配置が反転可能となるように連結する障子回動保持機構（３０、４０）とを備えるすべり出し反転窓であって、障子回動保持機構が、一端側を枠体に回動可能に取り付けられた第１アーム（３１、４１）と、一端側が回動しつつ鉛直方向に移動可能とされて枠体に取り付けられた第２アーム（３２、４２）と、一端側を障子の側面に回動可能に取り付けられた第３アーム（３３、４３）とを備え、第１アームの他端側と第２アームとが回動可能に連結されるとともに第２アームの他端側と第３アームの他端側とが回動可能に連結されることにより、障子の上端部が鉛直方向に移動するとともに障子が当該障子と第３アームとの連結部位を中心に回動し、障子の室内外側の配置が反転可能とされることを特徴とするすべり出し反転窓（９０）を提供することにより前記課題を解決する。
【００１１】
請求項２の発明は、請求項１に記載のすべり出し反転窓（９０）が、障子回動保持機構（３０、４０）が、障子（２０）の左右両側面のそれぞれに備えられることを特徴とする。
【００１２】
請求項３の発明は、請求項１又は２のいずれか一項に記載のすべり出し反転窓（９０）が、第２アーム（３２、４２）の枠体（１０）と回動しつつ鉛直方向に移動可能に取り付けられた部位が、障子（２０）のすべり出し反転動作中で最も高い位置に達したときに、第２アームと枠体との上方に開いた側の成す角が５５度以下であることを特徴とする。
【発明の効果】
【００１３】
請求項１の発明によれば、障子を障子回動保持機構により保持しつつ回動させるので、使用者は障子を回動させるために障子の荷重を支える必要がなく、容易に操作することができる。これによって使用者は障子の室内外面の配置を反転させ、室外側面を室内側に配置して容易に清掃することが可能となる。また、障子回動保持機構により、障子の高さが異なる障子に対しても同じ障子回動保持機構を適用することが可能となり、汎用性が高いすべり出し反転窓とすることができる。
【００１４】
請求項２の発明によれば、障子の左右両側面のそれぞれに障子回動保持機構を有するので、障子をさらに安定して保持しつつ回動可能なすべり出し反転窓を提供することができる。
【００１５】
請求項３の発明によれば、より円滑に障子を回動させることが可能なすべり出し反転窓とすることができる。
【００１６】
本発明のこのような作用及び利得は、次に説明する発明を実施するための最良の形態から明らかにされる。
【発明を実施するための最良の形態】
【００１７】
以下本発明を図面に示す実施形態に基づき説明する。
【００１８】
図１は、１つの実施形態にかかる本発明のすべり出し反転窓９０の室外側からの正面図である。すべり出し反転窓９０は、建物開口部の４辺に沿って取り付けられた枠体１０と、当該枠体の内側に配置される障子２０と、枠体１０に障子２０を回動可能に保持する障子回動保持機構３０、４０と、障子２０の上端部を枠体１０に沿って移動可能に配置する障子摺動部材５０、６０とを主要部材として備えている。
【００１９】
枠体１０は上横枠１１と、下横枠１２と、左縦枠１３と、右縦枠１４とを有して枠を形成し、建物開口部の４辺に沿って取り付けられている。また、左縦枠１３と右縦枠１４の障子２０側には後述するように、鉛直方向上下に障子用レール３４、４４とアーム用レール３５、４５（図３参照）が取り付けられている。
【００２０】
障子２０は、枠体１０の内側に配置され、ガラスパネル２５を有するとともに当該ガラスパネル２５の４辺の縁に沿って上横框２１と、下横框２２と、左縦框２３と、右縦框２４とを備えている。当該障子２０が後述する機構によりすべり出されるとともに反転可能とされる。また、障子２０の下部略中央の室内側面には、把手８５（図２参照）が設けられ、使用者の便宜が図られている。
【００２１】
引き続きすべり出し反転窓９０の構成要素について説明を続ける。ここでは、図１の他に図２も参照しつつ説明する。図２（ａ）は、図１のすべり出し反転窓９０を紙面右側から見た側面図である。従って図２（ａ）では紙面左が室外側、紙面右が室内側である。また、図２（ａ）では説明のため、右縦枠１４を取り外した状態を示している。図２（ｂ）は、障子２０がすべり出し反転されている途中の一場面を示した図で、視点等は図２（ａ）と同じである。障子回動保持機構４０は、図１に示したように障子２０の右縦框２４と枠体１０の右縦枠１４との間に配置されている。そして図２（ａ）に示したように、障子２０の閉鎖時において、障子回動保持機構４０は、鉛直方向に一直線上に配置される。障子回動保持機構４０の各構成要素を図２（ｂ）により説明する。障子回動保持機構４０は、第１アーム４１と、第２アーム４２と、第３アーム４３と、アーム摺動部材６５とを備えている。第１、第２及び第３アーム４１、４２、４３は、所定の強度を有する細長い板状の部材であり、それぞれには所定の位置に厚み方向に孔が設けられ、この孔の部位同士を連結することにより当該孔を節としたリンク機構が形成されている。
【００２２】
第１アーム４１は、一端を右縦枠１４の上部に節Ａを有して回動可能に取り付けられる。そして他端は、第２アーム４２の長手方向略中央に節Ｂを有して回動可能に取り付けられる。さらに第２アーム４２の一端は右縦枠１４に取り付けられたアーム用レール４５（図３参照）の下部に回動可能かつ鉛直方向移動可能に節Ｃを有して配置される。一方、第２アーム４２の他端は第３アーム４３の一端に節Ｄを有して回動可能に取り付けられる。第３アーム４３は、さらに、他端を障子２０の右縦框２４の鉛直方向略中央に節Ｅを有して取り付けられる。
【００２３】
従って、図２（ｂ）に見られるように、障子回動保持機構４０の第１、第２及び第３アーム４１、４２、４３の代表的な姿勢を説明すると、まず、第１アーム４１が、一端を縦枠１４の上部に回動可能に取り付けられるとともに室外側下方に延設され、他端を第２アーム４２に回動可能に取り付けられる。次に第２アーム４２は、一端を縦枠１４に沿って回動しつつ鉛直方向に移動可能に取り付けられるとともに縦枠の下部から室外側上方に延設され、途中第１アーム４１と回動可能に取り付けられ、さらに他端は第３アーム４３の一端と回動可能に連結される。そして第３アーム４３は一端を第２アーム４２と回動可能に取り付けられるとともに下方に延設され、障子２０の側面に回動可能に取り付けられる。第１、第２及び第３アーム４１、４２、４３の動作については、後で説明する。
【００２４】
障子２０の右縦框２４は、その上端部を回動可能に節Ｆを有して障子摺動部材６０に取り付けられる。さらに、障子摺動部材６０は、障子用レール４４に鉛直方向移動可能に配置される。これにより障子２０の上部が枠体１０の右縦枠１４に沿って鉛直方向に移動可能となる。
【００２５】
以上には、図１において障子２０の紙面右側に示された障子回動保持機構４０と、右縦框２４と、障子摺動部材６０とについて説明したが、すべり出し反転窓９０には図１における障子２０の紙面左側にも障子回動保持機構３０と、左縦框２３と、障子摺動部材５０とを備えている。しかしこれは、上述した障子回動保持機構４０と、右縦框２４と、障子摺動部材６０との関係と同じであり、その配置も障子２０の水平方向中心線に対して線対称の位置にある。よって、配置及びその動作は、障子回動保持機構４０、右縦框２４、及び障子摺動部材６０と同じなのでここでは説明を省略する。
【００２６】
以上に説明した障子回動保持機構３０、４０、左右縦框２３、２４及び障子摺動部材５０、６０により、簡易的な構造であるとともに、１種類のアーム組み合わせ構造で数種の障子高さに適用可能な機構を有するすべり出し反転窓を提供可能とした。
【００２７】
次に、障子用レール３４、４４、アーム用レール３５、４５、障子摺動部材５０、６０及びアーム摺動部材５５、６５について説明する。図３は、図１に示したすべり出し反転窓９０のＩ−Ｉ線矢視図を図３（ａ）に、II−II線矢視図を図３（ｂ）に示した図である。図３（ａ）は、障子用レール３４、４４と障子摺動部材５０、６０とが連結している部位の断面、図３（ｂ）はアーム用レール３５、４５とアーム摺動部材５５、６５とが連結している部位の断面をそれぞれ示している。図３（ａ）及び図３（ｂ）においては、紙面上が室内側、紙面下が室外側である。図３（ａ）に示したように、障子用レール３４、４４とアーム用レール３５、４５とは、略Ｅ字状に形成された断面を有する鉛直方向に長い部材の断面に見られる２つの凹部の一方を障子用レール、他方をアーム用レールとすることにより形成されている。従って当該部材は左右に一本ずつ配置され、それぞれに障子用レールとアーム用レールとが障子２０側に開口部分を向けて、室内外方向に並んで設けられる形態となる。ここで、障子用レール３４、４４を室内側、アーム用レール３５、４５を室外側に配置することにより障子２０の適切なすべり出し反転を可能としている。
【００２８】
障子摺動部材５０、６０は、Ｌ字型に折り曲げられた板状の取付部材５２、６２と、車輪５１、６１とを備えている。取付部材５２、６２のＬ字状の２つの辺のうち一方が室内外方向に平行に配置され、障子２０の上部両端に回動可能に連結され、図２（ｂ）で示した節Ｆ、Ｆ’（節Ｆ’は、節Ｆに対応する障子回動保持機構３０の節である。）を形成している。また、取付部材のＬ字状の２辺のうち他方には、その先端に車輪５１、６１が室内外方向に直角な軸を有して取り付けられる。そして、車輪５１が障子用レール３４の内側に、車輪６１が障子用レール４４の内側にそれぞれ配置され、車輪５１、６１が障子用レール３４、４４内を移動する。これにより障子２０の上部は左右縦枠１３、１４に沿って回動しつつ鉛直方向上下に移動可能となる。
【００２９】
一方、アーム摺動部材５５、６５は、室内外方向に直角な軸を有する車輪５６、６６を有して第２アーム３２、４２（第２アーム３２は、第２アーム４２に対応する障子回動保持機構３０に備えられるアームである。）の端部に取り付けられる。これにより回動可能かつ鉛直方向上下に移動可能である図２（ｂ）に示した節Ｃ、Ｃ’（節Ｃ’は節Ｃに対応する障子回動保持機構３０の節である。）が形成される。以上より第２アーム３２、４２の端部が左右縦枠１３、１４に回動可能に、かつ鉛直方向上下に移動可能とされる。
【００３０】
上述の障子摺動部材及びアーム摺動部材に備えられ、障子用レール３４、４４及びアーム用レール３５、４５の内側に配置されるとともに障子２０及び第２アーム３２、４２を障子用レール３４、４４及びアーム用レール３５、４５に沿って移動可能にするための部材は上述のように車輪であることに限定されるものではない。障子用レールと障子摺動部材との関係では、障子摺動部材が障子用レールから離脱することなく鉛直方向に移動可能とされればよい。また、アーム用レールとアーム摺動部材との関係では、アーム摺動部材がアーム用レールから離脱することなく、回動しつつ鉛直方向上下に移動することが可能であればよい。本実施形態では、より好ましい実施形態として円滑な障子２０の移動を可能とする上述のような車輪とレールとの組み合わせを示した。
【００３１】
以上のような障子回動保持機構３０、４０により、障子２０は、当該障子２０の重心を含む回動軸を中心に回動するので、簡易的な構造を有しつつ軽微な力で障子２０をすべり出し反転させることができるようになる。よって使用者は、当該障子２０のすべり出し反転操作を大きな負担なしにすることができる。さらに、第２アーム３２、４２及び第３アーム３３、４３（第３アーム３３は、第３アーム４３に対応する障子回動保持機構３０に備えられるアームである。）とを回動可能な節Ｄ、Ｄ’（節Ｄ’は節Ｄに対応する障子回動保持機構３０の節である。）で連結されている。これにより、第２アーム３２、４２の長さを障子２０の高さの半分以下とすることができ、障子２０の高さが異なる場合でも、第３アーム３３、４３の移動によりこれを吸収することができる。よって、障子２０の高さの違いにより障子回動保持機構３０、４０を設計し直す必要がなく、非常に汎用性の高いすべり出し反転窓とすることができる。また、後述するように、障子２０のすべり出し反転動作中において、障子２０等が第１アーム３１、４１（第１アーム３１は、第１アーム４１に対応する障子回動保持機構３０に備えられるアームである。）により上方から吊り下げられているような形態となるので、アームの強度を大きく上げる必要がなくコスト的に有利なすべり出し反転窓とすることができる。
【００３２】
次に、障子２０の閉鎖位置から障子２０の反転位置までの動作における各構成要素の姿勢を説明する。図４は、障子２０のすべり出し反転動作中におけるいくつかの場面を示した図である。図４（ａ）が障子２０の閉鎖の姿勢、図４（ｂ）が図４（ａ）から障子２０を少し移動した場面、図４（ｃ）が障子２０を水平になるまで移動させた場面である。そしてさらに図４（ｃ）から障子２０を反転方向に移動して図４（ｄ）とし、最終的に反転の姿勢である図４（ｅ）の状態となる。図４（ａ）〜（ｅ）は、図２（ａ）に示した図と同じ視点からの図なので、紙面左が室外側、紙面右が室内側である。
【００３３】
かかる一連の障子２０のすべり出し反転動作において、障子２０は、節Ｅを中心に回動をするとともに、上部も回動しながら左右枠体１４に沿って下方へ移動する。よって障子２０の下端部が室外側で上昇し、最終的に開口部上部に配置されて反転が行われる。これにより、障子２０は、反転の際に室内側へは侵入しないので、例えば室内側にカーテンが備えられていても適切に障子の反転を行うことができる。
【００３４】
第１アーム４１は、その一端を左右の枠体１４に回動可能に取り付けられているので、障子２０の反転動作の際には、節Ａを中心に、他端が室外側へ突出して障子２０の水平の姿勢を越えて反転させられるとまた室内側へ移動するという振り子のような移動をする。
【００３５】
第２アーム４２は、特に節Ｃにおいて、図４（ａ）に示した障子２０の閉鎖の姿勢から図４（ｂ）に示したような姿勢に移動する場合にその端部が上昇する。そして、図４（ｃ）に示したように障子２０が水平となる姿勢を最上点として節Ｃの上昇は止まる。さらに障子２０を反転方向に移動させると、図４（ｄ）に示したように節Ｃは下降し始め、障子２０の反転完了まで下降を続ける。この際、図４（ｃ）に示した姿勢で、節Ｃの上昇が止まる位置に不図示のストッパーが設けられても良い。当該ストッパーは、節Ｃが上昇することを禁止するためのものであり、より確実に障子回動保持機構４０を動作させるために有効である。また、図４（ｃ）において、Ｐで示した角度を５５度以下にすることが好ましく、４５度以下とすることがさらに好ましい。これによりさらに円滑に障子２０の反転動作を進行することが可能となる。
【００３６】
第３アーム４３の障子２０側端部に備えられた節Ｅは障子２０の水平方向の移動に追従して水平方向に移動する。従って、障子２０の高さの変化をこの水平方向の移動として吸収することができ、障子２０の高さが異なっても同じ障子回動保持機構を利用することができ、汎用性の高いすべり出し反転窓を提供することが可能となる。
【００３７】
ここでは、障子回動保持機構４０の動作について説明したが、障子回動保持機構４０の障子２０の反対側側面に備えられる障子回動保持機構３０についても同様の動作をする。
【００３８】
従って、すべり出し反転窓９０の使用者は、例えば室内側において図４（ａ）に示したような障子２０の閉鎖の状態から、把手８５を掴み、室外側へ押し出すことで障子２０を回動し、適宜掴む箇所を変えながら図４（ｂ）〜図４（ｄ）に示したように障子２０を回動させることができる。そして最終的に図４（ｅ）に示した障子２０の姿勢とし、反転を完了させる。また、逆に反転状態である図４（ｅ）の姿勢から図４（ａ）に示した障子２０の姿勢へ回動させるには、以上の動作を遡るように操作すればよい。
【００３９】
以上のように各構成要素を移動させることより、円滑であるとともに小さな力で障子のすべり出し反転が可能なすべり出し反転窓を提供することができる。そして、使用者は容易に障子を反転した後、障子の室外側面を室内側から清掃することができ、本発明は、非常に利便性の高いすべり出し反転窓を提供することができる。
【００４０】
本実施形態では、障子回動保持機構３０、４０が障子の左右両側面に備えられたすべり出し反転窓としたが、障子回動保持機構が左右どちらか一方に備えられたすべり出し反転窓であってもよい。また、障子回転保持機構が障子の上下面に水平に取り付けられる形態のすべり出し反転窓とされても良い。この場合障子は左右の縦框の配置が入れ替わるように反転する。
【００４１】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うすべり出し反転窓もまた本発明の技術的範囲に包含されるものとして理解されなければならない。
【図面の簡単な説明】
【００４２】
【図１】１つの実施形態にかかるすべり出し反転窓を示す室外視正面図である。
【図２】すべり出し反転窓の枠体の一部を取り除いて示した側面図である。
【図３】図１にI−I、II−IIで示した部位の矢視図である。
【図４】すべり出し反転窓の障子の反転動作を示した図である。
【符号の説明】
【００４３】
１０  枠体
１１  上横枠
１２  下横枠
１３  左縦枠
１４  右縦枠
２０  障子
２１  上横框
２２  下横框
２３  左縦框
２４  右縦框
２５  ガラスパネル
３０  障子回動保持機構
３１  第１アーム
３２  第２アーム
３３  第３アーム
３４  障子用レール
３５  アーム用レール
４０  障子回動保持機構
４１  第１アーム
４２  第２アーム
４３  第３アーム
４４  障子用レール
４５  アーム用レール
５０  障子摺動部材
５５  アーム摺動部材
６０  障子摺動部材
６５  アーム摺動部材
９０  すべり出し反転窓
【図１】
2007032200.tif 000003
【図２】
2007032200.tif 000004
【図３】
2007032200.tif 000005
【図４】
2007032200.tif 000006